(57)【特許請求の範囲】
【請求項１】
波板と平板とを具備し、該波板と該平板とを互いに重ね合わせて既設内装面に前記波板側を該既設内装面に向けて装着される吸音パネルであって、
前記平板と前記波板とが互いに離隔する該波板の各谷の部分で、該平板に、該平板と該波板の谷の部分との間に形成される第１の空洞に連通する第１の開口部をそれぞれ形成し、
前記平板と前記波板とが互いに当接する該波板の各山の部分で、該平板および該波板に、これら両板を貫通して該波板の山の部分と前記既設内装面との間に形成される第２の空洞に連通する第２の開口部をそれぞれ形成してなり、
前記複数本の空洞の一部または全部が途中で屈曲している吸音パネル。
【請求項２】
ねじを前記第１の開口部から差し入れて前記既設内装面にねじ込んで該既設内装面に固定される請求項１に記載の吸音パネル。
【請求項３】
前記屈曲の形が直角に屈曲した形である請求項１または２に記載の吸音パネル。
【請求項４】
前記吸音パネルの正面形状が全体として矩形であり、前記直角に屈曲した空洞が該矩形の隣接する２辺に沿って直角に屈曲している請求項３に記載の吸音パネル。
【発明の詳細な説明】
【技術分野】
【０００１】
この発明は共鳴を利用した吸音パネルに関し、簡易な構成でこれを実現したものである。
【背景技術】
【０００２】
管共鳴を利用した従来の吸音パネルとして下記特許文献１，２に記載されたものがあった。特許文献１に記載の吸音パネルは長さが異なる複数本のパイプを相互に隣接配置し一体化してパネル体を構成し、各パイプは一端部を閉じ他端部を開放したものである。特許文献２記載の吸音パネルは長さが異なる複数本のパイプを相互に隣接配置し一体化してパネル体を構成し、各パイプは一端部を閉じ他端部を開放して、隣り合うパイプどうしは開口端側が互い違いになるように配列し、さらにパネル体の前面に各パイプ内の空洞にそれぞれ連通し様々な共鳴管長を形成する複数の開口部を形成したものである。
【特許文献１】特許第２７８５６８７号公報
【特許文献２】特許第３４７５９１７号公報
【発明の開示】
【発明が解決しようとする課題】
【０００３】
特許文献１，２記載の吸音パネルは長さが異なる複数のパイプを組み合わせて一体化してパネル体を構成するので構成が複雑であった。この発明は上述の点に鑑みてなされたもので、構成を簡素化した吸音パネルを提供しようとするものである。
【課題を解決するための手段】
【０００４】
この明細書に記載の第１の吸音パネルは波板と平板とを具備し、該波板と該平板とを互いに重ね合わせて既設内装面に前記波板側を該既設内装面に向けて装着される吸音パネルであって、前記平板と前記波板とが互いに離隔する該波板の各谷の部分で、該平板に、該平板と該波板の谷の部分との間に形成される第１の空洞に連通する第１の開口部をそれぞれ形成し、前記平板と前記波板とが互いに当接する該波板の各山の部分で、該平板および該波板に、これら両板を貫通して該波板の山の部分と前記既設内装面との間に形成される第２の空洞に連通する第２の開口部をそれぞれ形成してなるものである。
【０００５】
これによれば波板と平板を重ね合わせて共鳴を生じる複数の空洞を形成するので、長さが異なる複数のパイプを組み合わせて一体化してパネル体を構成する場合に比べて簡単な構成で吸音パネルを構成することができる。特にこの吸音パネルによれば既設内装面を空洞を形成する構造の一部として利用するので、その分少ない部材で空洞を形成することができる。
【０００６】
この第１の吸音パネルは例えば前記波板と前記平板とが予め一体化され、ねじを前記第１の開口部から差し入れて前記波板を介して既設内装面にねじ込んで該既設内装面に固定されるものとすることができる。
【０００７】
この明細書に記載の第２の吸音パネルは平板と複数枚の仕切り板とを具備し、該複数枚の仕切り板を相互間に適宜の間隔を空けて既設内装面に並べ、該複数枚の仕切り板が並んだ表面に前記平板を被せて、該既設内装面に装着され、もって前記既設内装面と前記平板との間に前記仕切り板で仕切られる複数本の空洞を形成し、前記平板に前記複数本の空洞にそれぞれ連通する開口部を形成してなるものである。この吸音パネルによれば既設内装面を空洞を形成する構造の一部として利用するので、その分少ない部材で空洞を形成することができる。
【０００８】
この明細書に記載の第３の吸音パネルは平板と複数本の筒とを具備し、該複数本の筒を既設内装面に並べ、該複数本の筒が並んだ表面に前記平板を被せて、該既設内装面に装着され、該平板と該各筒とが接する面を貫通して該筒の内部の空洞に連通する開口部を形成してなるものである。第１〜第３の吸音パネルにおいて前記平板は既設内装面に対して平行または非平行に設置することができる。
【０００９】
この明細書に記載の第４の吸音パネルは波板と複数本の筒とを具備し、該複数本の筒を既設内装面に並べ、該複数本の筒が並んだ表面は起伏を有し、該複数本の筒が並んだ表面に前記波板を、該波板の波が前記複数本の筒が並んだ表面の起伏に合わせて起伏した状態に被せて、該既設内装面に装着され、該波板と該各筒とが接する面を貫通して該筒の内部の空洞に連通する開口部を形成してなるものである。この場合、筒は例えば軸直角断面が円形（円筒）、楕円形、長円形、山形等各種形状のものを用いることができる。
【００１０】
吸音パネルはまた非平面に形成された前面の背後に複数本の空洞を形成し、前記前面に前記複数本の空洞にそれぞれ連通する開口部を形成してなるものである。この吸音パネルによれば吸音効果が得られるほか、非平面の表面により拡散効果が得られる。
【００１１】
吸音パネルはねじを前面の開口部から差し入れて既設内装面にねじ込んで該既設内装面に固定されるものとすることができる。また前記空洞の間隔を均一または不均一とすることができる。また前記開口部を例えば矩形の穴または複数条のスリット状の穴で構成することができる。また前記複数本の空洞は全部を直線状とし、または一部もしくは全部を途中で屈曲したものとすることができる。また該開口部は１本の空洞につき１箇所または複数箇所に設けることができる。また開口部は空洞ごとに該空洞の延在方向のばらばらの位置に設けることができる。
【００１２】
吸音パネルは複数の空洞全体で共通にまたは空洞ごとに、両端部を開放し、もしくは両端部を閉じ、または一端部を開放し他端部を閉じたものとすることができる。これにより共鳴周波数を変更することができる。空洞の開放した一端部または開放した両端部にはウレタン等の連続気泡多孔質材やグラスウール等による流れ抵抗材を装着することができる。これにより吸音率を調整することもできる。
【００１３】
前記吸音パネルを複数台使用し、該複数台の吸音パネルを前記各空洞の端部が開口している側端面どうしを突き合わせた状態に配列して該複数台の吸音パネルの空洞どうしを連結し、もって個々の吸音パネルの空洞よりも長い空洞を形成することができる（以下このように複数台の吸音パネルを連結したものを「吸音構造体」という）。
【００１４】
これによれば、複数台の吸音パネルを各空洞の端部が開口している側端面どうしを突き合わせた状態に配列して該複数台の吸音パネルの空洞どうしを連結し、個々の吸音パネルの空洞よりも長い空洞を形成するようにしたので、吸音パネルを配列する台数に応じて共鳴周波数（吸音周波数）を様々に設定できる。したがって施工現場で吸音特性（残響時間）を容易に設定でき、特に低音域の吸音特性の設定の自由度が向上する。
【００１５】
この吸音構造体は前記複数台の吸音パネルを配列した全体構造について、連結された全空洞で共通にまたは該連結された空洞ごとに、両端部を開放し、もしくは両端部を閉じ、または一端部を開放し他端部を閉じることができる。これにより共鳴周波数を変更することができる。連結された空洞の開放した一端部または開放した両端部にはウレタン等の連続気泡多孔質材やグラスウール等による流れ抵抗材を装着することができる。これにより吸音率を調整することもできる。
【００１６】
この明細書に記載の音響室は前記吸音パネルを既設内装面（壁面、天井面、床面等）に装着してなるものである。この場合吸音パネルの空洞の一端部を該吸音パネルを装着した既設内装面に直交する他の既設内装面で閉じることができる。これによれば個別部品としての閉塞部材を使用することなく空洞の一端部を閉じることができる。
【００１７】
この明細書に記載の室内音響特性調整方法は吸音パネルを室の既設内装面に装着して該室内の音響特性を調整するものである。
【発明を実施するための最良の形態】
【００１８】
《第１の吸音パネルの実施の形態》
第１の吸音パネルの実施の形態を説明する。図１は１台の吸音パネル１０の構造を示す。図１において（ａ）は正面図、（ｂ）はそのＡ矢視図を示す。この吸音パネル１０は全体が矩形（図示の例では正方形）の正面形状をなす所定厚さのパネル体として構成されている。吸音パネル１０は１枚の平板１２と、この平板１２に重ね合わされた１枚の波板１４と、この波板１４のうねり方向の両端部で平板１２と波板１４との間に挟み込まれた２本のハシバメ１６，１８とを具えて構成されている。吸音パネル１０の波板１４のうねりに直角な方向の両側端面１０ａ，１０ｂは開口されている。吸音パネル１０はこれら各部材１２，１４，１６，１８を相互の当接面（平板１２と波板１４との各当接面、並びに平板１２および波板１４とハシバメ１６，１８との各当接面）で接着剤、ねじ等の接合部材により接合固定して一体化されている。平板１２は例えばＯＳＢ合板（オリエンテッド・ストランド・ボード）等の木質板あるいはプラスチック板、板紙等で構成される。波板１４は木質繊維板あるいはプラスチック板、板紙等で構成され、図１の例では台形の波形断面形状に形成されている。ハシバメ１６，１８は例えば木あるいはプラスチック等の角材で構成される。
【００１９】
以上の構成によれば、平板１２と波板１４とが互いに離隔する波板１４の各谷の部分１４ａで、平板１２と波板１４との間に管共鳴を生じる複数本の空洞２０（第１の空洞）が形成される。平板１２には各空洞２０に連通する開口部２２（第１の開口部）が空洞２０ごとに１〜２個ずつ形成されている。開口部２２は各空洞２０で様々な共鳴管長を形成する（共鳴管長を分散させる、つまり様々な共鳴周波数を生じる）ように、空洞２０ごとに該空洞２０の延在方向のばらばらの位置に形成されている。また平板１２と波板１４とが互いに当接する波板１４の各山の部分１４ｂで、平板１２および波板１４を貫通するの開口部２４（第２の開口部）が波板１４の山の部分１４ｂごとに１〜２個ずつ形成されている。各開口部２４は波板１４の山の部分１４ｂの裏面側に形成された各空間２６に連通する。空間２６は吸音パネル１０を既設天井、既設壁、既設床等の既設内装面に装着したときに該既設内装面で塞がれて管共鳴を生じる複数本の空洞（第２の空洞）を構成する。開口部２４はこの空洞２６で様々な共鳴管長を形成する（共鳴管長を分散させる、つまり様々な共鳴周波数を生じる）ように、空洞２６ごとに該空洞２６の延在方向のばらばらの位置に形成されている。各空洞２０，２６の全長は相互に等しい。なお吸音パネル１０の波板１４のうねりに直角な方向の両側端面１０ａ，１０ｂのうち一方または両方に板材等による通気性のない閉塞部材を装着して空洞２０，２６の一端部または両端部を塞いで共鳴周波数を変更することもできる。また開放した側端面（側端面１０ａ，１０ｂのうち一方または両方）にウレタン等の連続気泡多孔質材やグラスウール等による流れ抵抗材を装着して吸音率を調整することもできる。
【００２０】
吸音パネル１０の縦×横の寸法は例えば９００ｍｍ×９００ｍｍである。また平板１２を８．５ｍｍ厚のＯＳＢ合板で構成し、波板１４を波型によるうねりを含めた厚さが２３ｍｍの木質繊維板で構成した場合は吸音パネル１０の厚さは３１．５ｍｍとなる。開口部２２の縦×横の寸法は例えば４０ｍｍ×４０ｍｍ（図１の左右両端のものは４０ｍｍ×２５ｍｍ）であり、開口部２４の縦×横の寸法は例えば４０ｍｍ×２５ｍｍである。
【００２１】
吸音パネル１０を室の既設天井または既設壁に装着する施工手順を図２に示す。（ｉ）は施工前の状態である。既設天井または既設壁２８は石膏ボード、木質ボード等のボード材で構成され、下地材（既設天井の場合は野縁や上階の床根太等、既設壁の場合は柱や間柱等）３０に固定されている。室内側３４から既設天井または既設壁２８に吸音パネル１０を、波板１４側を既設天井または既設壁２８側に向けて当接させ、適宜の配置間隔でねじ３２（木ねじ、ボード用ねじ等）を開口部２２から差し入れて、波板１４を貫通して既設天井または既設壁２８にねじ込む。これにより吸音パネル１０は既設天井または既設壁２８の下面に固定される。波板１４が既設天井または既設壁２８に当接する各面１４ｃに予め接着剤を塗布しておくことによりさらに強固に固定することができる。（ｉｉ）は施工後の状態である。この状態では既設天井または既設壁２８と波板１４との間に空洞２６が形成される。空洞２６は開口部２４を介して室内側３４に連通する。また平板１２と波板１４との間に形成されている空洞２０は開口部２２を介して室内側３４に連通する。これにより空洞２０，２６は室内側３４の音（室内に存在する音）を管共鳴による各共鳴周波数を中心に吸音して残響時間を短くする。各空洞２０，２６の共鳴周波数は該空洞２０，２６の延在方向における開口部２２，２４の形成位置および空洞２０，２６の両端を開放するか一端を閉じるか両端を閉じるかに応じて様々に設定することができる。図１の設計では、吸音パネル１０の縦×横の寸法を９００ｍｍ×９００ｍｍとして、空洞２０，２６の両端を開放したときの共振周波数は２００Ｈｚ〜２．３ｋＨｚおよびその倍音を想定し、一端を閉じたときの共振周波数は１００Ｈｚ〜１．１ｋＨｚを想定している。
【００２２】
図３は音響室３６（一般家庭や事務所の部屋等）に吸音パネル１０を装着した一例を示す。音響室３６は前方壁面３８、後方壁面（図示せず）、左右壁面４０，４２、床面４４、天井面４６で囲まれている。ここでは前方壁面３８（既設壁）に４台の吸音パネル１０を装着し、天井面４６（既設天井）に２台の吸音パネル１０を装着した例を示している。
【００２３】
吸音パネル１０は単体で用いる場合は図４に示すように様々な態様で使用することができる。（ａ）は図１の吸音パネル１０をそのまま使用するもので、吸音パネル１０の波板１４のうねりに直角な方向の両側端面１０ａ，１０ｂから空洞２０，２６の両側の開口端部がそのまま外気に露出する。（ｂ）は吸音パネル１０の左右一方の側端面１０ａに板材等による通気性のない閉塞部材４８を装着して空洞２０，２６の一方の開口端部を閉じ、他方の側端面１０ｂには閉塞部材を装着しないで空洞２０，２６の他方の開口端部をそのまま外気に露出させたものである。（ｃ）は吸音パネル１０の左右両側端面１０ａ，１０ｂに板材等による通気性のない閉塞部材４８，５０を装着して空洞２０，２６の両方の開口端部を閉じたものである。（ｄ）は吸音パネル１０の左右一方の側端面１０ａに板材等による通気性のない閉塞部材４８を装着して空洞２０，２６の一方の開口端部を閉じ、他方の側端面１０ｂにはウレタン等の連続気泡多孔質材やグラスウール等による流れ抵抗材５４を装着して、空洞２０，２６の他方の開口端部を該流れ抵抗材５４を介して外気に連通させたものである。（ｅ）は吸音パネル１０の左右両側端面１０ａ，１０ｂにウレタン等の連続気泡多孔質材やグラスウール等による流れ抵抗材５２，５４を装着して空洞２０，２６の両方の開口端部を該流れ抵抗材５２，５４を介して外気に連通させたものである。
【００２４】
図４の各態様（ａ）〜（ｅ）で吸音パネル１０を残響室の壁面に装着して測定した残響室法吸音率特性を図５（ａ）〜（ｅ）にそれぞれ示す。（ｄ）、（ｅ）の流れ抵抗材５２，５４にはウレタンを用いた。図５（ｆ）は比較例として吸音パネル１０に開口部２２，２４を形成しないでかつ左右両側端面１０ａ，１０ｂに板材等による通気性のない閉塞部材４８，５０を装着して空洞２０，２６の両方の開口端部を閉じた場合（図４（ｃ）の態様で開口部２２，２４がないもの）の特性である。図５の特性（ｃ）と特性（ｆ）とを比較すると、開口部２２，２４の存在により吸音率が増大（残響時間が短縮）していることがわかる。また特性（ａ），（ｂ）を比較すると、空洞２０，２６の一方の開口端部を閉じることにより低音域（１２５Ｈｚ付近）の吸音率が増大することがわかる。また特性（ｃ）と特性（ａ），（ｂ），（ｄ），（ｅ）とを比較すると、空洞２０，２６の両方の開口端部を閉じると全体として吸音率が減少することがわかる。また特性（ａ）と特性（ｅ）（あるいは特性（ｂ）と特性（ｄ））とを比較すると、流れ抵抗材５２，５４を使用すると全体として（あるいは中高音域について）吸音率が増大することがわかる。
【００２５】
なお前記実施の形態において、吸音パネルの室内側の面の開口部を避けた位置（または開口部を含む位置でもよい）に多孔質吸音材を貼り付けあるいは吹き付けて、より広帯域の吸音効果を発現させることもできる。また前記実施の形態において、吸音パネルの室内側の面にフィルムやサランネット等の音響透過性クロスを被せて室内側に臨む開口部を隠すこともできる。また前記実施の形態では開口部は空洞ごとに該空洞の延在方向のばらばらの位置に形成するようにしたが、各空洞で均一の位置あるいは均一のピッチで形成することもできる。また前記実施の形態では吸音パネルの正面形状を矩形に形成したが、これに限らず平行四辺形、三角形、六角形等に形成することもできる。
【００２６】
《吸音構造体の実施の形態》
吸音構造体の実施の形態を説明する。ここでは図１の吸音パネル１０を２台連結して用いる場合について説明する。この場合図６に示すように様々な態様で使用することができる。２台の吸音パネル１０−１，１０−２どうしの連結は、例えば空洞２０，２６の端部が開口している吸音パネル１０−１の側端面１０ｂと空洞２０，２６の端部が開口している吸音パネル１０−２の側端面１０ａどうしを突き合わせた状態にして、その突き合わせ線に沿って全周にガムテープ５６を巻き付けて、吸音パネル１０−１，１０−２どうしを接合することにより行うことができる。ガムテープ５６以外の接合部材を用いて連結することもできる。あるいは部屋の壁面に吸音パネル１０−１の側端面１０ｂと吸音パネル１０−２の側端面１０ａどうしを突き合わせた状態に配置して個々に壁面に固定する（吸音パネル１０−１，１０−２どうしは直接接合しない）こともできる。このように２台の吸音パネル１０−１，１０−２を各空洞２０，２６どうしが連結するように配列することにより、２倍の長さの空洞が得られる。
【００２７】
図６の各態様について説明する。（ａ）は連結した吸音パネル１０−１，１０−２をそのまま使用するもので、連結された空洞２０，２６の両端部をそのまま外気に露出させたものである。（ｂ）は連結した吸音パネル１０−１，１０−２の一側端面１０ａに板材等による閉塞部材４８を装着して、連結された空洞２０，２６の一方の開口端部を閉じ、他方の開口端部をそのまま外気に露出させたものである。（ｃ）は連結した吸音パネル１０−１，１０−２の両側端面１０ａ，１０ｂに板材等による閉塞部材４８，５０を装着して、連結された空洞２０，２６の両方の開口端部を閉じたものである。（ｄ）は連結した吸音パネル１０−１，１０−２の一方の側端面１０ａに板材等による閉塞部材４８を装着して、連結された空洞２０，２６の一方の開口端部を閉じ、他方の側端面１０ｂにはウレタン等の連続気泡多孔質材やグラスウール等による流れ抵抗材５４を装着して、連結された空洞２０，２６の他方の開口端部を該流れ抵抗材５４を介して外気に連通させたものである。（ｅ）は連結した吸音パネル１０−１，１０−２の両側端面１０ａ，１０ｂにウレタン等の連続気泡多孔質材やグラスウール等による流れ抵抗材５２，５４を装着して、連結された空洞２０，２６の両方の開口端部を該流れ抵抗材５２，５４を介して外気に連通させたものである。
【００２８】
図６の各態様（ａ）〜（ｃ）の各２台連結吸音パネルを個別に１７畳居室に８セット（吸音パネル１０の面積は合計で１２．９６平方メートル）配置してそれぞれ残響時間を測定し、これと該吸音パネルを配置しないで同居室で測定した残響時間との差から求めた付加吸音力の周波数特性を図７（ａ）〜（ｃ）にそれぞれ示す。比較例として空洞２０，２６の両開口端部を外気に露出させた単体の吸音パネル１０（図４（ａ）の態様のもの）を同居室に同面積分（１６枚）配置した場合の付加吸音力の周波数特性を図７（ｘ）に示す。図７によれば、吸音パネル１０を２台連結した場合（図６（ａ）〜（ｃ）の態様、図７の特性（ａ）〜（ｃ））は１台単体で用いた場合（図４（ａ）の態様、図７の特性（ｘ））に比べて低音域（１２５Ｈｚ付近）の吸音力が増大している。これは２台の吸音パネル１０を連結して空洞２０，２６の長さが延長されたことにより、吸音パネル１０を単体で使用した場合よりも最低共鳴周波数が低下したことによる。特に空洞２０，２６の両方の開口端部を閉じた図６（ｃ）の態様（図７の特性（ｃ））は低音域の吸音力の増大が顕著であることがわかる。また一方の開口端部を閉じ他方の開口端部を外気に露出させた図６（ｂ）の態様（図７の特性（ｂ））は１２５Ｈｚおよび２５０Ｈｚ付近の吸音力が増大することがわかる。
【００２９】
図８は音響室３６に吸音パネル１０を単体でまたは２台連結して配置した一例を示す。音響室３６は前方壁面３８、後方壁面（図示せず）、左右壁面４０，４２、床面４４、天井面４６で囲まれている。前方壁面３８には空洞２０，２６の両開口端部を開放させた単体の吸音パネル１０が４台装着されている。４台の吸音パネル１０は隣接するものどうしが互いに縦横９０度回転した姿勢で配置されている。左壁面４０には２台の吸音パネル１０−１，１０−２を連結した２台連結吸音パネル１０Ａが縦置き配置で床面４４上に着地した状態で装着されている。連結した空洞２０，２６の上端部は開放され、下端部は床面４４で閉じられている。これによれば下端部に閉塞部材を装着することなく図６（ｂ）と同様の使用態様が得られる。右壁面４２には２台の吸音パネル１０−１，１０−２を連結した２台連結吸音パネル１０Ｂが横置き配置で床面４４上に着地しかつ側端面を前方壁面３８に突き当て状態で装着されている。連結した空洞２０，２６の前端部は前方壁面３８で閉じられ、後端部は開放されている。これによれば前端部に閉塞部材を装着することなく図６（ｂ）と同様の使用態様が得られる。なお単体のまたは複数台連結した吸音パネル１０を天井４６あるいは床面４４に装着することもできる。また単体で使用する吸音パネルについても空洞２０，２６の一端部を既設内装面（壁面、天井面、床面等）で閉じる（他端部は開放しもしくは閉塞部材で閉じまたは流れ抵抗材を装着する）こともできる。
【００３０】
なお前記実施の形態では吸音パネルを２台連結した場合について説明したが、３台以上連結することもできる。また前記吸音構造体の実施の形態では連結された全空洞について一律に同一側の端部を開放しもしくは閉じまたは流れ抵抗材を装着したが、連結された空洞ごとに個別に端部を開放するか閉じるかあるいは流れ抵抗材を装着するかを設定することもできる。また前記吸音構造体の実施の形態では同一正面形状の吸音パネルどうしを連結するようにしたが、側端面どうしを突き合わせて空洞を相互に連結できるものであれば、相互に異なる正面形状の吸音パネルどうしを連結することもできる。また前記実施の形態では管共鳴を利用した場合について説明したが、この発明はヘルムホルツ共鳴を利用するように構成することもできる。
【００３１】
《吸音パネルの参考例》
吸音パネルの参考例を図９に示す。この吸音パネル５８は図１の吸音パネル１０の裏面側にも平板１５を装着したものである。図１と共通する部分には同一の符号を用いる。平板１５は平板１２と同じ板材で構成することができる。平板１５には平板１２の開口部２２，２４に相当する開口部は形成されていない。吸音パネル５８は各部材１２，１４，１５，１６，１８を相互の当接面（平板１２，１５と波板１４との各当接面、平板１２，１５とハシバメ１６，１８との各当接面）で接着剤、ねじ等の接合部材により接合固定して一体化されている。この吸音パネル１０は平板１５側を既設内装面（壁面、天井面、床面等）に接着剤、ねじ等の接合部材で接合して装着される。
【００３２】
《第２の吸音パネルの実施の形態１》
第２の吸音パネルの実施の形態１を図１０に示す。この吸音パネル６０は平板６２と複数枚の仕切り板６４で構成される。各仕切り板６４は等間隔で相互に平行に既設内装面（壁面、天井面、床面等）２８に配列されている。各仕切り板６４の既設内装面２８に当接する一側端部６４ａは接着剤、ねじ等の接合部材で既設内装面２８に固定されている。仕切り板６４が配列された表面全体には平板６２が被せられている。仕切り板６４の他側端部６４ｂには平板６２の下面６２ａが接着剤、ねじ等の接合部材で固定されている。これにより、既設内装面２８と平板６２との間には、仕切り板６４で仕切られた複数本の空洞６８が形成されている。各空洞６８の全長は相互に等しい。吸音パネル６０を構成する平板６２と仕切り板６４はＯＳＢ合板等の木質板あるいはプラスチック板、板紙等でそれぞれ構成されている。平板６２と仕切り板６４をプラスチック等による一体成型品として製造することもできる。平板６２には各空洞６８に連通する開口部７０が空洞６８ごとに１個または複数個形成されている。開口部７０は各空洞６８で様々な共鳴管長を形成するように、空洞６８ごとに該空洞６８の延在方向のばらばらの位置に形成されている。
【００３３】
《第２の吸音パネルの実施の形態２》
図１０の実施の形態では複数枚の仕切り板６４を等間隔に配置したが、図１１の吸音パネル７２のように、仕切り板６４を不等間隔で配置して、空洞６８の幅を様々に形成することもできる。図１１では図１０と対応する部分には同一の符号を用いる。平板６２には各空洞６８に連通する開口部７０が空洞６８ごとに１個または複数個形成されている。開口部７０は各空洞６８で様々な共鳴管長を形成するように、空洞６８ごとに該空洞６８の延在方向および幅方向のばらばらの位置に形成されている。
【００３４】
《第２の吸音パネルの実施の形態３》
図１０の実施の形態では各開口部７０を１つの矩形の穴で構成したが、図１２の吸音パネル７４のように、開口部７６を複数条のスリット状の穴で構成することもできる。図１２では図１０と対応する部分には同一の符号を用いる。これによれば開口部７６から物が入り込むのを防止することができる。
【００３５】
《第２の吸音パネルの実施の形態４》
図１０の実施の形態では平板６２を既設内装面２８に対して平行に配置したが、図１３の吸音パネル７８のように、平板６２を既設内装面２８に対して非平行に配置することもできる。図１３では図１０と対応する部分には同一の符号を用いる。これによれば、この吸音パネル７８を音響室の壁面に装着した場合に、吸音パネル７８の前面（平板６２）と該前面に対向する音響室の壁面とが互いに非平行となり、該音響室内の音に対して散乱効果が得られる。
【００３６】
《第２の吸音パネルの実施の形態５》
図１０の実施の形態では空洞６８を直線状に形成したが、図１４の吸音パネル８０のように、空洞６８の一部または全部を途中で屈曲した構造に形成することもできる。これによれば各空洞６８の全長を相互に異ならせることができる。図１４では図１０、図１２と対応する部分には同一の符号を用いる。図１４では図１２と同様に複数条のスリット状の穴による開口部７６を形成したが、図１０等と同様に１つの矩形の穴による開口部７０を形成することもできる。
【００３７】
《第３の吸音パネルの実施の形態》
図１５の吸音パネル８２は平板８４と複数本の筒８６で構成される。各筒８６の全長は相互に等しい。筒８６はここでは円筒で構成されている。平板８４はＯＳＢ合板等の木質板あるいはプラスチック板、板紙等で構成され、また円筒８６は紙筒、プラスチック筒等で構成されている。複数本の円筒８６は相互に平行に既設内装面２８に隙間なく（または隙間があってもよい）並べて配置され、接着剤、ねじ等の接合部材で既設内装面２８に固定されている。平板８４は円筒８６の配列全体に被せて接着剤、ねじ等の接合部材で円筒８６に固定されている。平板８４と各円筒８６には、これら平板８４と各円筒８６とが接する面を貫通して円筒８６の内部の空洞９０に連通する開口部９２が円筒８６ごとに１個または複数個形成されている。開口部９２は各空洞９０が様々な共鳴管長を形成するように、円筒８６ごとに該円筒８６の延在方向のばらばらの位置に形成されている。筒８６を円筒以外の筒（四角筒、交互に上下反転させた三角筒等）で構成することもできる。吸音パネル８２は図１５のように各円筒８６を同一外径にすれば平板８４は既設内装面２８に対して平行になる。これに対し隣接する円筒８６相互間で外径を順次大きく（または小さく）することにより平板８４は既設内装面２８に対して非平行になる。
【００３８】
《第４の吸音パネルの実施の形態》
図１５の実施の形態では円筒８６の配列の上に平板８４を被せたが、図１６の吸音パネル９４のように、円筒８６の配列の上に、該円筒８６の配列の表面に沿ってうねる波板９６を被せることもできる。図１６では図１５と対応する部分には同一の符号を用いる。波板９６はＯＳＢ合板等の木質板あるいはプラスチック板、板紙等で構成することができる。波板９６は接着剤、ねじ等の接合部材で円筒８６に固定されている。波板９６と各円筒８６の面には、これら波板９６と各円筒８６とが接する面を貫通して円筒８６の空洞９０に連通する開口部９２が円筒８６ごとに１個または複数個形成されている。これによれば、吸音パネル９４の表面（波板９６の表面）がうねっているので、該表面で散乱効果が得られる。
【００３９】
《その他の実施の形態１》
吸音パネルのその他の実施の形態１を図１７に示す。この吸音パネル９８は図１０の吸音パネル６０の前面の板６２が平面であったのに対し、該板を山形の非平面に構成したものである。すなわち吸音パネル９８の前面の板１００は２枚の平板を山形に組み合わせた形状に構成されている。既設内装面２８と山形板１００間の距離の変動に合わせて仕切り板６４の高さを順次異ならせている。他の構成は図１０の吸音パネル６０と同じである。図１０と対応する部分には同一の符号を用いる。この吸音パネル９８によれば吸音効果が得られるほか、非平面である山形板１００の表面により拡散効果が得られる。
【００４０】
《その他の実施の形態２》
吸音パネルのその他の実施の形態２を図１８に示す。この吸音パネル１０２は図１０の吸音パネル６０の前面の板６２が平面であったのに対し、該板を湾曲した非平面に構成したものである。すなわち吸音パネル１０２の前面の板１０４は平板を一方向に弓形に湾曲させた形状に構成されている。既設内装面２８と湾曲板１０４間の距離の変動に合わせて仕切り板６４の高さを順次異ならせている。他の構成は図１０の吸音パネル６０と同じである。図１０と対応する部分には同一の符号を用いる。この吸音パネル１０２によれば吸音効果が得られるほか、非平面である湾曲板１０４の表面により拡散効果が得られる。
【００４１】
《その他の実施の形態３》
吸音パネルのその他の実施の形態３を図１９に示す。この吸音パネル１０３は図１５の吸音パネル８２の前面の板８４が平面でかつ円筒８６が同一外径であったのに対し、前面の板１０５を非平面に構成するとともにこれに合わせて円筒８６の外径を異ならせたものである。すなわち前面の板１０５は２枚の平板を谷形に組み合わせた形状に構成されている。円筒８６の外径は既設内装面２８と谷形板１０５間の距離の変動に合わせて順次異ならせている。すなわち円筒８６は吸音パネル１０３の幅方向中央部に位置するものが最小径でそこから両外側に行くに従い徐々に大径になっていく。他の構成は図１５の吸音パネル８２と同じである。図１５と対応する部分には同一の符号を用いる。この吸音パネル１０３によれば吸音効果が得られるほか、非平面である谷形板１０５の表面により拡散効果が得られる。
【００４２】
第２〜第４の吸音パネル、その他の実施の形態１〜３にかかる吸音パネルについても第１の吸音パネルと同様に次のような各種の変更が可能である。すなわち吸音パネルの室内側の面の開口部を避けた位置（または開口部を含む位置でもよい）に多孔質吸音材を貼り付けあるいは吹き付けて、より広帯域の吸音効果を発現させることができる。また吸音パネルの室内側の面にフィルムやサランネット等の音響透過性クロスを被せて室内側に臨む開口部を隠すことができる。また前記実施の形態では開口部は空洞ごとに該空洞の延在方向のばらばらの位置に形成するようにしたが、各空洞で均一の位置あるいは均一のピッチで形成することができる。また前記実施の形態では吸音パネルの正面形状を矩形に形成したが、これに限らず平行四辺形、三角形、六角形等に形成することができる。
【００４３】
第２〜第４の吸音パネル、その他の実施の形態１〜３にかかる吸音パネルについても第１の吸音パネルと同様にねじを前面の開口部７０，７６，９２から差し入れて既設内装面２８にねじ込んで既設内装面２８に固定されるものとすることができる。
【００４４】
図１０の矩形状の穴による開口部７０を複数条のスリット状の穴に代えた実施の形態として図１２を示したが、図１、図１１、図１３、図１５〜図１９の実施の形態においても矩形状の穴による開口部２２，２４，７０，９２を複数条のスリット状の穴による開口部に代えることができる。
【００４５】
第１の吸音パネルの実施の形態においても次のような各種の変更が可能である。すなわち図１の吸音パネル１０において波板１４のピッチを不均一にして、図１１の吸音パネル７２と同様に、空洞２０，２２の幅を不均一（ランダム）にすることができる。また図１の吸音パネル１０において、波板１４の傾斜面（頂面と底面を繋ぐ面）の幅を順次変化させることにより波板１４の高さを順次変化させて、図１３の吸音パネル７８と同様に、平板１２を既設内装面に対し非平行とすることができる。またこの発明の実施の形態として、図１の吸音パネル１０において波板１４を途中で屈曲させて、図１４の吸音パネル８０と同様に、複数本の空洞２０，２２の一部または全部を途中で屈曲させたものとすることができる。また図１の吸音パネル１０において波板１４の傾斜面の幅を順次変化させることにより波板１４の高さを順次変化させて、図１７の吸音パネル９８や図１８の吸音パネル１０２や図１９の吸音パネル１０３のように前面に非平面の板を配置することもできる。
【００４６】
図１０〜図１９の吸音パネル６０，７２，７４，７８，８０，８２，９４，９８，１０２，１０３は例えば前出の図３と同様に音響室に装着して使用することができる。また吸音パネル６０，７２，７４，７８，８０，８２，９４，９８，１０２，１０３を単体で使用する場合は前出の図４と同様に様々な態様で使用することができる。すなわち空洞６８，９０の端部を例えば開放し、または空洞６８，９０の端部に通気性のない閉塞部材もしくは流れ抵抗材を装着することができる。また吸音パネル６０，７２，７４，７８，８０，８２，９４，９８，１０２，１０３を２台連結して使用する場合は前出の図６と同様に様々な態様で使用することができる。３台以上連結して使用することもできる。また前出の図８と同様に音響室に吸音パネル６０，７２，７４，７８，８０，８２，９４，９８，１０２，１０３を単体で使用したものと２台以上連結して使用したものを混在して配置することもできる。
【図面の簡単な説明】
【００４７】
【図１】第１の吸音パネルの実施の形態を示す正面図およびそのＡ矢視図である。
【図２】図１の吸音パネルを室の既設天井または既設壁に装着する施工手順を示す模式断面図である。
【図３】図１の吸音パネルを音響室に装着した一例を示す斜視図である。
【図４】図１の吸音パネルを単体で用いる様々な態様を示す図である。
【図５】図４の各態様について測定した残響室法吸音率の特性図である。
【図６】吸音構造体の実施の形態を示す正面図で、図１の吸音パネルを２台連結して用いる様々な態様を示す図である。
【図７】図６の各態様について測定した付加吸音力の周波数特性図である。
【図８】音響室に図１の吸音パネルを単体でまたは２台連結して配置した一例を示す斜視図である。
【図９】吸音パネルの参考例を示す正面図およびそのＢ矢視図である。
【図１０】第２の吸音パネルの実施の形態１を示す正面図およびそのＣ矢視図である。
【図１１】第２の吸音パネルの実施の形態２を示す正面図およびそのＤ矢視図である。
【図１２】第２の吸音パネルの実施の形態３を示す正面図およびそのＥ矢視図である。
【図１３】第２の吸音パネルの実施の形態４を示す正面図およびそのＦ矢視図である。
【図１４】第２の吸音パネルの実施の形態５を示す正面図およびそのＧ矢視図である。
【図１５】第３の吸音パネルの実施の形態を示す正面図およびそのＨ矢視図である。
【図１６】第４の吸音パネルの実施の形態を示す正面図およびそのＩ矢視図である。
【図１７】吸音パネルのその他の実施の形態１を示す正面図およびそのＪ矢視図である。
【図１８】吸音パネルのその他の実施の形態２を示す正面図およびそのＫ矢視図である。
【図１９】吸音パネルのその他の実施の形態３を示す正面図およびそのＬ矢視図である。
【符号の説明】
【００４８】
１０，１０−１，１０−２，６０，７２，７４，７８，８０，８２，９４，９８，１０２，１０３…吸音パネル、１０ａ，１０ｂ…吸音パネルの側端面、１０Ａ，１０Ｂ…２台連結吸音パネル、１２…平板、１４…波板、１４ａ…波板の谷の部分、１４ｂ…波板の山の部分、２０…第１の空洞、２２…第１の開口部、２４…第２の開口部、２６…第２の空洞、２８…既設天井または既設壁（既設内装面）、３２…ねじ、３６…音響室、３８…既設壁、４４…既設床、４６…既設天井，６２…平板、６４…仕切り板、６８…空洞、７０…開口部、８４…平板、８６…円筒（筒）、９０…空洞、９２…開口部、９６…波板（非平面の表面を有する板）、１００…山形板（非平面の表面を有する板）、１０４…湾曲板（非平面の表面を有する板）、１０５…谷形板（非平面の表面を有する板）
【図１】
0005304053.tif 000002
【図２】
0005304053.tif 000003
【図３】
0005304053.tif 000004
【図４】
0005304053.tif 000005
【図５】
0005304053.tif 000006
【図６】
0005304053.tif 000007
【図７】
0005304053.tif 000008
【図８】
0005304053.tif 000009
【図９】
0005304053.tif 000010
【図１０】
0005304053.tif 000011
【図１１】
0005304053.tif 000012
【図１２】
0005304053.tif 000013
【図１３】
0005304053.tif 000014
【図１４】
0005304053.tif 000015
【図１５】
0005304053.tif 000016
【図１６】
0005304053.tif 000017
【図１７】
0005304053.tif 000018
【図１８】
0005304053.tif 000019
【図１９】
0005304053.tif 000020